(57)【要約】【課題】壁掛けに伴う冷却性能劣化を抑制することができる画像表示装置を提供する。【解決手段】画像表示装置１Ａは、シャーシの背面との間に収容空間を形成するバックカバー４と、前記収納空間を下側空間と上側空間とに仕切る仕切り壁２０と、を備えている。バックカバー４には、前記下側空間へ空気を導入するための第１吸気口１２および前記下側空間から空気を排出するための第１排気口１３が設けられているとともに、前記上側空間へ空気を導入するための第２吸気口１４および前記上側空間から空気を排出するための第２排気口１５が設けられている。さらに、画像表示装置１Ａは、第１排気口１３から排出された空気が第２吸気口１４へ流れ込むことを規制する規制部材としてフード２５を備えている。【選択図】図１
2010139840.tif 000002
【特許請求の範囲】
【請求項１】
画像を表示する表示パネルと、
前記表示パネルを前面で支持するシャーシと、
前記シャーシの背面に取り付けられた回路基板と、
前記シャーシの背面との間に前記回路基板を収容する収容空間を形成するバックカバーと、
前記収納空間を下側空間と上側空間とに仕切る仕切り壁と、を備え、
前記バックカバーには、前記下側空間へ空気を導入するための第１吸気口および前記下側空間から空気を排出するための第１排気口が設けられているとともに、前記上側空間へ空気を導入するための第２吸気口および前記上側空間から空気を排出するための第２排気口が設けられており、
前記第１排気口から排出された空気が前記第２吸気口へ流れ込むことを規制する規制部材をさらに備える、画像表示装置。
【請求項２】
前記画像表示装置は、壁面に取り付けられるものであり、
前記バックカバーは、前記壁面と対向する主壁を有しており、この主壁に前記第１排気口および前記第２吸気口が設けられており、
前記規制部材は、前記バックカバーの主壁と前記壁面との間で、前記第１排気口から排出される空気用の経路と前記第２吸気口へ吸入される空気用の経路とを分離するものである、請求項１に記載の画像表示装置。
【請求項３】
前記第２吸気口は、前記第１排気口と同じまたはそれよりも低い高さ位置にある、請求項２に記載の画像表示装置。
【請求項４】
前記規制部材は、前記バックカバーの主壁と前記壁面との間の空間を前記第１排気口側と前記第２吸気口側に仕切る仕切り板で構成されている、請求項３に記載の画像表示装置。
【請求項５】
前記第２吸気口は、前記第１排気口よりも高い高さ位置にあり、前記第１排気口と上下方向で重なっている、請求項２に記載の画像表示装置。
【請求項６】
前記第２排気口の横幅は、前記第１排気口の横幅よりも大きい、請求項５に記載の画像表示装置。
【請求項７】
前記規制部材は、前記第２吸気口から前記第１排気口よりも下方に延びるダクト、または前記第１排気口から前記第２吸気口よりも上方に延びるダクトで構成されている、請求項５または６に記載の画像表示装置。
【請求項８】
前記規制部材は、前記バックカバーの主壁における前記第２吸気口から前記第１排気口よりも下方までの領域に被せられ、下向きに開口する流路を形成するフードであって、前記第１排気口を前記流路と連通させない状態で露出させる窪み部を有するフード、で構成されている、請求項７に記載の画像表示装置。
【請求項９】
前記フードにおける前記窪み部よりも下側部分は、前記壁面に接するように前記壁面側に膨出している、請求項８に記載の画像表示装置。
【請求項１０】
前記バックカバーを前記壁面に固定する取付金具をさらに備え、
前記規制部材は、前記取付金具に一体に設けられている、請求項２〜９のいずれか一項に記載の画像表示装置。
【請求項１１】
シャーシとバックカバーとの間に形成された収納空間が仕切り壁によって下側空間と上側空間とに仕切られ、前記バックカバーに、前記下側空間へ空気を導入するための第１吸気口および前記下側空間から空気を排出するための第１排気口ならびに前記上側空間へ空気を導入するための第２吸気口および前記上側空間から空気を排出するための第２排気口が設けられた画像表示装置を壁面に取り付けるための取付金具であって、
前記バックカバーと前記壁面との間で、前記第１排気口から排出される空気用の経路と前記第２吸気口へ吸入される空気用の経路とを分離する規制部材が一体に設けられた取付金具。
【発明の詳細な説明】
【技術分野】
【０００１】
本発明は、テレビ映像等の画像を表示する画像表示装置に関するものである。
【背景技術】
【０００２】
近年、テレビ映像等の画像を表示する画像表示装置の薄型化が進み、従来のＣＲＴに代わってプラズマディスプレイパネルまたは液晶パネル等のいわゆる平板型表示パネルを用いた画像表示装置が主流となっている。
【０００３】
図１０は、このような平板型画像表示装置の一例であるプラズマディスプレイ装置の、画像表示面側から見た斜視図である。図１０に示すように、プラズマディスプレイ装置１００は、画像を表示するプラズマディスプレイパネル（以下「ＰＤＰ」という。）２とこのＰＤＰ２を駆動するための回路基板等を、フロントカバー３およびバックカバー４で覆って構成されている。
【０００４】
なお、以下の説明においては、上下方向とは通常の使用状態にプラズマディスプレイ装置を置いた時の上下方向（すなわち鉛直方向）を、また、左右方向とはこれと直交する方向（すなわち水平方向）をそれぞれさすこととする。
【０００５】
図１１は、従来のプラズマディスプレイ装置１００の内部構成を示す概略断面図である。図１１に示すように、プラズマディスプレイ装置１００のフロントカバー３とバックカバー４の内部には、画像を表示するＰＤＰ２と、これを前面５ａで支持するシャーシ５、シャーシ５の背面５ｂに取り付けられたＰＤＰ２を駆動するための複数の回路基板６とが納められている。すなわち、シャーシ５の背面５ｂとバックカバー５の間には、回路基板６を収容する収容空間１１が形成されている。
【０００６】
ここで、ＰＤＰ２は、ガス放電を利用して画像を表示するという動作原理から高温になりやすい。そしてＰＤＰ２が高温になるとＰＤＰ２内部に形成されている電極の電気容量が変化して正常な放電が行われなくなるなどの弊害が生じる。このため、ＰＤＰ２を所定の温度（一例として、７０〜８０℃）以下に保つことを目的として、図１１に示すように、ＰＤＰ２とシャーシ５との間に熱伝導性の高い樹脂シート７を挟むことが行われている。このようにすれば、ＰＤＰ２の熱をシャーシ５に効果的に伝え、放熱の効果と温度均熱化の効果とを同時に得ることができる。
【０００７】
また、バックカバー４の下部には吸気口８が上部には排気口９が設けられ、バックカバー４内側には排気口９と対応する位置にファン１０が設けられる。ファン１０の稼働により、バックカバー４内部の収納空間１１と外部との間で図１１中の矢印Ａ１，Ａ２に示すような空気の流れが発生する。これにより、吸気口８から低温空気が吸入され、バックカバー４内のシャーシ５と回路基板６とが強制対流によって冷却され、排気口９から高温空気が排出される。なお、吸気口８および排気口９は、実際には微少な貫通孔の集合体であるが、図１１では、その存在位置を大まかに示すにとどめている。
【０００８】
ところで最近では、画像表示装置の薄型化がさらに進展（１例として２５ｍｍ程度）しており、シャーシ５とバックカバー４で囲まれた収納空間１１の奥行きが非常に小さくなってきている。これに伴い、ファン１０のシャーシ５側に面した吸気面と、シャーシ５との隙間も狭くなり、流路抵抗が増大することによりファン１０の風量が少なくなる。これによりバックカバー４内のシャーシ５と回路基板６とを強制対流によって冷却する際の冷却効率の悪化を招く。冷却効率の悪化を抑制する方法としては、プラズマディスプレイ装置１００のバックカバー４内部の収納空間１１を複数の領域に分割し、分割された個別の領域ごとに強制対流による冷却を行う方法が挙げられる。
【０００９】
プラズマディスプレイ装置１００のバックカバー４内部の収納空間１１を複数の領域に分割した構成は、例えば特許文献１に示されており、これを図１２に示す。特許文献１に開示されたプラズマディスプレイ装置１０１では、バックカバー４内部の収納空間が仕切り壁２０によって上下方向に複数の領域に分割されている。換言すれば、収納空間は仕切り壁２０によって下側空間１８と上側空間１９とに仕切られている。下側空間１８には回路基板６ｂが収容され、上側空間１９には回路基板６ａが収容されている。また、バックカバー４には、下側空間１８へ空気を導入するための第１吸気口１２および下側空間１８から空気を排出するための第１排気口１３が設けられているとともに、上側空間１９へ空気を導入するための第２吸気口１４および上側空間１９から空気を排出するための第２排気口１５が設けられている。さらに、特許文献１では、バックカバー４の内側の第１排気口１３および第２排気口１５と対応する位置にファン２１，２２を配設してもよいとされている。
【００１０】
図１２に示すプラズマディスプレイ装置１０１では、ファン２１の稼働により、バックカバー４内部の下側空間１８と外部との間で図１２中の矢印Ｂ１，Ｂ２に示すような空気の流れが発生する。これにより、第１吸気口１２から低温空気が吸入され、下側空間１８内のシャーシ５と回路基板６ｂとが強制対流によって冷却され、第１排気口１３から高温空気が排出される。また、ファン２２の稼働により、バックカバー４内部の上側空間１９と外部との間で図１２中の矢印Ｃ１，Ｃ２に示すような空気の流れが発生する。これにより、第２吸気口１４から低温空気が吸入され、上側空間１９内のシャーシ５と回路基板６ａとが強制対流によって冷却され、第２排気口１５から高温空気が排出される。
【００１１】
上記の構成によれば、低温空気を吸入する吸気口１２，１４と、高温空気を排出する排気口１３，１５の距離が、図１１に示す従来の構成に比べて短縮され、流路抵抗が小さくなりファンの負荷が下がる。これにより冷却効率の悪化を抑制することができる。
【００１２】
ところで、図１２に示す構成では、下側空間１８から第１排気口１３を通じて排出された高温空気が、上側空間１９内に第２吸気口１４から吸入された場合、上側空間１９内のシャーシ５と回路基板６ａを十分冷却できないという問題がある。これを回避するために、特許文献１には、第３実施形態として、図１３に示すようなプラズマディスプレイ装置１０２が提案されている。このプラズマディスプレイ装置１０２では、仕切り壁２０がステップ状に曲げられており、下側空間１８の上側部分と上側空間１９の下側部分とが左右方向で重なっている。そして、バックカバー４には、上側空間１９用の第２吸気口１４が下側空間１８用の第１排気口１３と同じまたはそれよりも低い高さ位置となるようにそれらが設けられている。
【特許文献１】特開２００８−９１６４号公報
【発明の開示】
【発明が解決しようとする課題】
【００１３】
最近では、装置の薄型化に伴って、家庭内でも画像表示装置が壁面に取り付けられる、いわゆる壁掛けされるケースが多くなっている。図１３に示すプラズマディスプレイ装置１０２が壁掛けされた場合、たとえ上側領域１９用の第２吸気口１４が下側空間１８用の第１排気口１３と同じまたはそれよりも低い高さ位置にあるとしても、それらは依然として近い位置にあるため、バックカバー４と壁面との隙間が狭くなった（例えば６０ｍｍ以下）場合には、第１排気口１３から排出された高温空気が第２吸気口１４へ吸入されてしまう。その結果、上側空間１９での冷却性能の劣化を招く。
【００１４】
本発明は、上記問題点に鑑みて、壁掛けに伴う冷却性能劣化を抑制することができる画像表示装置およびこれに用いられる取付金具を提供することを目的とする。
【課題を解決するための手段】
【００１５】
上記課題を解決するために、本発明は、画像を表示する表示パネルと、前記表示パネルを前面で支持するシャーシと、前記シャーシの背面に取り付けられた回路基板と、前記シャーシの背面との間に前記回路基板を収容する収容空間を形成するバックカバーと、前記収納空間を下側空間と上側空間とに仕切る仕切り壁と、を備え、前記バックカバーには、前記下側空間へ空気を導入するための第１吸気口および前記下側空間から空気を排出するための第１排気口が設けられているとともに、前記上側空間へ空気を導入するための第２吸気口および前記上側空間から空気を排出するための第２排気口が設けられており、前記第１排気口から排出された空気が前記第２吸気口へ流れ込むことを規制する規制部材をさらに備える、画像表示装置を提供する。
【００１６】
また、本発明は、シャーシとバックカバーとの間に形成された収納空間が仕切り壁によって下側空間と上側空間とに仕切られ、前記バックカバーに、前記下側空間へ空気を導入するための第１吸気口および前記下側空間から空気を排出するための第１排気口ならびに前記上側空間へ空気を導入するための第２吸気口および前記上側空間から空気を排出するための第２排気口が設けられた画像表示装置を壁面に取り付けるための取付金具であって、前記バックカバーと前記壁面との間で、前記第１排気口から排出される空気用の経路と前記第２吸気口へ吸入される空気用の経路とを分離する規制部材が一体に設けられた取付金具を提供する。
【発明の効果】
【００１７】
本発明によれば、下側空間用の第１排気口から排出された高温の空気が上側空間用の第２吸気口へ流れ込むことが規制されるため、装置を壁掛けしたとしても冷却性能劣化を抑制することができる。
【発明を実施するための最良の形態】
【００１８】
以下、本発明を実施するための最良の形態について、図面を参照しながら説明する。なお、以下の説明は本発明の一例に関するものであり、本発明はこれらによって限定されるものではない。また、以下の説明では、画像表示装置として従来例と同様にプラズマディスプレイ装置の例を用いて説明する。
【００１９】
（第１実施形態）
図１および図２に、本発明の第１実施形態に係るプラズマディスプレイ装置１Ａを示す。このプラズマディスプレイ装置１Ａの基本的な構成は、図１２に示した特許文献１に開示されたプラズマディスプレイ装置１０１と同じである。すなわち、プラズマディスプレイ装置１Ａは、画像を表示するＰＤＰ２と、ＰＤＰ２を前面５ａで支持するシャーシ５と、シャーシ５の背面５ｂに取り付けられた複数の回路基板６ａ，６ｂと、シャーシ５の背面５ｂとの間に回路基板６ａ，６ｂを収容する収容空間１１を形成するバックカバー４と、バックカバー４と共に筐体を構成するフロントカバー３とを備えている。また、収容空間１１は仕切り壁２０によって下側空間１８と上側空間１９とに仕切られており、下側空間１８には回路基板６ｂが収容され、上側空間１９には回路基板６ａが収容されている。
【００２０】
図２は、ユーザー視聴状態である壁掛け時を想定した図であり、プラズマディスプレイ装置１Ａは取付金具２３により壁面２４に取り付けられている。すなわち、本実施形態のプラズマディスプレイ装置１Ａは、バックカバー４を壁面２４に固定する取付金具２３をも備えている。なお、図１および図２では、取付金具２３を簡略化して描いている。
【００２１】
ＰＤＰ２は、長方形状の形状を有しており、一般に、長手方向が水平方向になり短手方向が鉛直方向になる姿勢で配置される。具体的に、ＰＤＰ２は、図示は省略するが、前面ガラス基板と背面ガラス基板とが貼り合わされて構成されている。そして、前面ガラス基板には、左右方向に延びる走査電極と維持電極とからなる表示電極対が多数形成されており、背面ガラス基板には、上下方向に延びるアドレス電極が多数形成されている。
【００２２】
ＰＤＰ２とこれを支持するシャーシ５との間には、熱伝導性の高い樹脂シート７が挟まれている。この樹脂シート７は、正面から見た面積はＰＤＰ２とほぼ等しく長方形であり、厚みが例えば１〜２ｍｍ程度である。樹脂シート７をＰＤＰ２とシャーシ５の間に介在させることによって、基本的にガラス基板から構成されるＰＤＰ２と、金属であるシャーシ５とを密着させ、ＰＤＰ２からシャーシ５への熱伝導効果を高めている。このため、樹脂シート７の材料としては、柔軟性と熱伝導性を兼ね備えたシリコン等が好適である。
【００２３】
シャーシ５は、正面から見た形状および面積はＰＤＰ２とほぼ等しく、厚みが例えば１.５ｍｍ程度の金属板である。フロントカバー３およびバックカバー４内でＰＤＰ２を保持して全体を支える役割と、ＰＤＰ２から樹脂シート７を経由して伝導された熱を、シャーシ５自体の面内方向に拡散させることで均熱化を図り、シャーシ５とバックカバー４との間の下側空間１８および上側空間１９に放熱する役割を果たしている。このため、シャーシ５の材料としては、熱伝導のよいアルミニウム等が使われる。
【００２４】
シャーシ５の背面５ｂには、画像を表示するための電源部およびチューナー部、さらにはＰＤＰ２の電極に信号を与えて画像表示を行う信号処理回路および駆動回路などを構成する複数の回路基板６ａ，６ｂが、シャーシ５のボスにねじ止めされることにより、ＰＤＰ２と平行に取り付けられている。
【００２５】
フロントカバー３とバックカバー４は、ＰＤＰ２および回路基板６ａ，６ｂが取り付けられたシャーシ５を覆うように構成されている。フロントカバー３は例えば厚み１ｍｍ程度のアルミニウム、バックカバー４は例えば厚み０.５ｍｍ程度のスチール等でできている。このうち、フロントカバー３は、ＰＤＰ２の画像表示面の周囲を覆うエスカッション枠の役割も果たしている。一方、バックカバー４は、シャーシ５の背面５ｂから離間し、壁面２４と対向する主壁４１と、主壁４１の周縁部から立ち上がる矩形筒状の周壁４２とを有している。
【００２６】
バックカバー４の主壁４１には、下側空間１８へ空気を導入するための第１吸気口１２および下側空間１８から空気を排出するための第１排気口１３が設けられているとともに、上側空間１９へ空気を導入するための第２吸気口１４および上側空間１９から空気を排出するための第２排気口１５が設けられている。さらに、バックカバー４内側には、第１排気口１３および第２排気口１５と対応する位置にファン２１，２２が配設されている。
【００２７】
本実施形態では、第１吸気口１２、第１排気口１３、第２吸気口１４、および第２排気口１５は、この順に下から上に直線上に並んでおり、この組み合わせの列が３列設けられている。ただし、吸気口１２，１４および排気口１３，１５の数は、これに限らず、例えば１つずつであってもよい等、適宜選択可能である。
【００２８】
個々の列で見ると、第２吸気口１４は、第１排気口１３の真上にある。換言すれば、第２吸気口１４は、第１排気口１３よりも高い高さ位置にあり、第１排気口１３と上下方向で重なっている。第１排気口１３および第２排気口１５は、ほぼ同じ大きさの正方形状になっているのに対し、第１吸気口１２および第２吸気口１４は、第１排気口１３および第２排気口１５よりも横幅が広くかつ高さが低い長方形状になっていて、第１排気口１３および第２排気口１５の両側に張り出している。
【００２９】
仕切り壁２０は、樹脂等でできている。この仕切り壁２０は、下側空間１８と上側空間１９との間で実質的な空気の移動を遮るものであることが好ましい。
【００３０】
本実施形態に係るプラズマディスプレイ装置１Ａが、図１２に示した特許文献１に開示されたプラズマディスプレイ装置１０１と異なるのは、バックカバー４と壁面２４との間の空間にフード２５が配設されている点である。フード２５は、ねじ止めまたは係合構造によりバックカバー４の主壁４１に取り付けられる。フード２５の断面構造は、図２（ａ）および（ｂ）に示している。
【００３１】
フード２５は、バックカバー４の主壁４１における第２吸気口１４から第１排気口１３よりも下方までの領域に被せられ、下向きに開口する流路を形成するものである。フード２５の中央には、窪み部２５ａが設けられている。この窪み部２５ａは、バックカバー４の主壁４１に至る深さを有しており、底は開口している。そして、窪み部２５ａによって第１排気口１３が前記流路と連通しない状態で露出させられている。
【００３２】
フード２５における窪み部２５ａよりも下側部分２５ｂは、壁面２４に接するように壁面側に膨出している。この下側部分２５ｂの厚みは、バックカバー４と壁面２４との間の距離と同じに設定されている。このため、第１排気口１３から排出された空気は下方に流れることが阻止される。また、フード２５における下側部分２５ｂよりも上側部分の厚みは、バックカバー４と壁面２４との間の距離の半分程度に設定されている。
【００３３】
以下、本実施形態のプラズマディスプレイ装置１Ａの強制空冷の仕組みを図２を用いて説明する。
【００３４】
前述したとおり、プラズマディスプレイ装置１Ａではバックカバー４内部の収納空間１１が仕切り壁２０によって上下に領域分割されている。図２（ａ）に示すように、プラズマディスプレイ装置１Ａ冷却用の空気は、プラズマディスプレイ装置１Ａの下方から矢印ａ１で示すように供給される。下側空間１８の冷却では、第１吸気口１２から外気が矢印ｂ１で示すように取り込まれ、シャーシ５と回路基板６ｂが冷却され、温められた空気はファン２１により第１排気口１３から矢印ｂ２で示すように排出される。上側空間１９の冷却では、第２吸気口１４から外気が矢印ｃ１で示すように取り込まれ、シャーシ５と回路基板６ａが冷却され、温められた空気はファン２２により第２排気口１５から矢印ｃ２で示すように排出される。そして最終的には温められた空気は、プラズマディスプレイ装置１Ａの上方から矢印ａ２で示すように排出される。
【００３５】
ここで、特に壁掛け時のバックカバー４と壁面２４との間の隙間が狭い場合には、もしフード２５がなければ下側空間１８から排出された空気が、そのまま第２吸気口１４を経由して上側空間１９に吸入されてしまい、上側空間１９の冷却効率が著しく劣化する。フード２５はこの劣化を防ぐためのもので、下側空間１８から排出された空気は、フード２５の外側を通って上昇し、プラズマディスプレイ装置１Ａの上方に排出されるようになる。一方、上側空間１９を冷却するための空気は、図２（ｂ）に示すように、プラズマディスプレイ装置１Ａの下方からフード２５内に流れ込み、矢印ｃ０で示すようにフード２５内を通過した後に、第２吸気口１４から上側空間１９に供給される。つまり、フード２５は、バックカバー４の主壁４１と壁面２４との間で、第１排気口１３から排出される空気用の経路と第２吸気口１４へ吸入される空気用の経路とを分離している。このようなフード２５によって、下側空間１８から排出された空気が、そのまま第２吸気口１４を経由して上側空間１９に吸入されることはなく、上側空間１９の冷却効率の劣化を抑制することができる。すなわち、フード２５は、第１排気口１３から排出された空気が第２吸気口１４へ流れ込むことを規制する規制部材を構成する。
【００３６】
なお、フード２５の組成は、フード２５が熱交換器としての機能を果たさないように、樹脂などの熱伝導率の低い材料で成ることが望ましい。フード２５の板厚も同様の観点からできるだけ薄いことが望ましいが、強度上の観点から厚み１ｍｍ程度が望ましい。
【００３７】
このように、本実施形態のプラズマディスプレイ装置１Ａによれば、装置を壁掛けしたとしても冷却性能劣化を抑制することができる。また、本実施形態では、第２吸気口１４が第１排気口１３の真上にあるので、仕切り壁２０を例えば左右方向に延びる直線状等の単純な形状にすることができ、製造コストを低減することができる。さらに、吸気口１２，１４の横幅が排気口１３，１５の横幅よりも大きくなっているので、吸気口１２，１４から取り込む低温空気を広い面積でシャーシ５および回路基板６ａ，６ｂと接触させることができ、放熱効率を向上させることができる。
【００３８】
なお、本実施形態では、フード２５がバックカバー４の主壁４１に取り付けられる形態を示したが、フード２５は取付金具２３に一体に設けられていてもよい。フード２５を取付金具２３に一体に設けるには、例えばねじ止め等によりそれらを相互に連結すればよい。
【００３９】
（第２実施形態）
図３および図４に、本発明の第２実施形態に係るプラズマディスプレイ装置１Ｂを示す。図４は、第１実施形態と同様、壁掛け時を想定した図である。なお、第２実施形態のプラズマディスプレイ装置１Ｂの基本構成は第１実施形態のプラズマディスプレイ装置１Ａと同じであるため、第２実施形態においては、第１実施形態と同一構成部分には同一符号を付して、その説明を省略する。この点は、後述する実施形態においても同様である。
【００４０】
本実施形態のプラズマディスプレイ装置１Ｂが、第１実施形態のプラズマディスプレイ装置１Ａと異なるのは、バックカバー４と壁面２４との間の空間に、フード２５の代わりにダクト２６が配設されている点である。ダクト２６は、バックカバー４の主壁４１にねじ止めまたは係合構造により取り付けられる。ダクト２６の断面構造は図４に示している。
【００４１】
ダクト２６は、第１排気口１３から第２吸気口１４よりも上方に延びている。具体的に、ダクト２６は、両端が開口する曲がり管で構成されており、一方の開口が第１排気口１３に接続され、他方の開口が上向きに開口している。この場合のダクト２６の上端は、ダクト２６から排出される空気がそのまま上昇するので第２吸気口１４からそれほど離れている必要はないが、第２吸気口１４よりも例えば１００ｍｍ以上上方にあることが好ましい。
【００４２】
以下、本実施形態２のプラズマディスプレイ装置１Ｂの強制空冷の仕組みを図４を用いて説明する。
【００４３】
前述したとおり、プラズマディスプレイ装置１Ｂではバックカバー４内部の収納空間１１が仕切り壁２０によって上下に領域分割されている。プラズマディスプレイ装置１Ｂ冷却用の空気は、プラズマディスプレイ装置１Ｂの下方から矢印ａ１で示すように供給される。下側空間１８の冷却では、第１吸気口１２から外気が矢印ｂ１で示すように取り込まれ、シャーシ５と回路基板６ｂが冷却され、温められた空気はファン２１により第１排気口１３から矢印ｂ２で示すように排出される。上側空間１９の冷却では、第２吸気口１４から外気が矢印ｃ１で示すように取り込まれ、シャーシ５と回路基板６ａが冷却され、温められた空気はファン２２により第２排気口１５から矢印ｃ２で示すように排出される。そして最終的には温められた空気は、プラズマディスプレイ装置１Ｂの上方から矢印ａ２で示すように排出される。
【００４４】
ここで、特に壁掛け時のバックカバー４と壁面２４との間の隙間が狭い場合には、もしダクト２６がなければ下側空間１８から排出された空気が、そのまま第２吸気口１４を経由して上側空間１９に吸入されてしまい、上側空間１９の冷却効率が著しく劣化する。ダクト２６はこの劣化を防ぐためのもので、下側空間１８から排出された空気は、ダクト２６の上端から矢印ｂ３で示すように吐き出され、そのまま上昇してプラズマディスプレイ装置１Ｂの上方に排出されるようになる。なお、ダクト２６の上端の開口は上方を向いているので、ダクト２６から吐き出された空気は下向きに逆流することはない。一方、上側空間１９を冷却するための空気は、プラズマディスプレイ装置１ｂの下方からバックカバー４と壁面２４との間に入り込んだ後に第２吸気口１４から上側空間１９に供給される。つまり、ダクト２６は、バックカバー４の主壁４１と壁面２４との間で、第１排気口１３から排出される空気用の経路と第２吸気口１４へ吸入される空気用の経路とを分離している。このようなダクト２６によって、下側空間１８から排出された空気が、そのまま第２吸気口１４を経由して上側空間１９に吸入されることはなく、上側空間１９の冷却効率の劣化を抑制することができる。すなわち、ダクト２６は、第１排気口１３から排出された空気が第２吸気口１４へ流れ込むことを規制する規制部材を構成する。
【００４５】
なお、ダクト２６の組成は、ダクト２６が熱交換器としての機能を果たさないように、樹脂などの熱伝導率の低い材料で成ることが望ましい。ダクト２６の板厚も同様の観点からできるだけ薄いことが望ましいが、強度上の観点から厚み１ｍｍ程度が望ましい。
【００４６】
このように、本実施形態のプラズマディスプレイ装置１Ｂによれば、装置を壁掛けしたとしても冷却性能劣化を抑制することができる。また、本実施形態では、ダクト２６という簡単な構成で前記効果を得ることができる。その他の効果は、第１実施形態と同様である。
【００４７】
なお、本実施形態では、ダクト２６がバックカバー４の主壁４１に取り付けられる形態を示したが、ダクト２６は取付金具２３に一体に設けられていてもよい。ダクト２６を取付金具２３に一体に設けるには、例えばねじ止め等によりそれらを相互に連結すればよい。
【００４８】
（その他の実施形態）
以下では、第１排気口１３から排出された空気が第２吸気口１４へ流れ込むことを規制する規制部材を別のダクトまたは仕切り板で構成した例について説明する。
【００４９】
図５に、本発明の第３実施形態に係るプラズマディスプレイ装置１Ｃを示す。このプラズマディスプレイ装置１Ｃでは、第２吸気口１４から第１排気口よりも下方に延びるダクト２７が設けられている。
【００５０】
具体的に、ダクト２７は、両端が開口する曲がり管で構成されており、一方の開口が第２吸気口１４に接続され、他方の開口が下向きに開口している。この場合のダクト２７の下端は、ダクト２６から排出される空気が壁面２４に当たって広がるので第２吸気口１４から十分に離れている必要があり、第２吸気口１４よりも例えば２５０ｍｍ以上下方にあることが好ましい。
【００５１】
このようなダクト２７でも、バックカバー４の主壁４１と壁面２４との間で、第１排気口１３から排出される空気用の経路と第２吸気口１４へ吸入される空気用の経路とを分離することができる。
【００５２】
図６に、本発明の第４実施形態に係るプラズマディスプレイ装置１Ｄを示す。このプラズマディスプレイ装置１Ｄでは、仕切り壁２０が２つの山を形成するように適所で直角に曲げられており、仕切り壁２０が鉛直方向に延びる部分を挟んで下側空間１８用の第１排気口１３と上側空間１９用の第２吸気口１４が配置されている。すなわち、第２吸気口１４は、第１排気口１３と同じ高さ位置にある。
【００５３】
そして、第１排気口１３に、第２実施形態と同様のダクト２６が接続されている。ただし、本実施形態におけるダクト２６は、第１排気口１３から排出される空気の流れ方向を上向きに変更するものである。
【００５４】
このようなダクト２６でも、バックカバー４の主壁４１と壁面２４との間で、第１排気口１３から排出される空気用の経路と第２吸気口１４へ吸入される空気用の経路とを分離することができる。
【００５５】
なお、第４実施形態においては、第２吸気口１４が第１排気口１４よりも低い高さ位置にあってもよい。また、ダクト２６を取付金具２３に一体に設けることも可能である。
【００５６】
図７に、本発明の第５実施形態に係るプラズマディスプレイ装置１Ｅを示す。このプラズマディスプレイ装置１Ｅは、ダクト２６の代わりに仕切り板２８Ａ〜２８Ｃが設けられている以外は、第４実施形態と同様の構成となっている。そして、仕切り板２８Ａ〜２８Ｃによって、バックカバー４の主壁４１と壁面２４との間の空間が、第１排気口１３側と第２吸気口１４側とに仕切られている。
【００５７】
本実施形態では、仕切り板２８Ａ〜２８Ｃは、バックカバー４の主壁４１と壁面２４との間の空間を、第１吸気口１２および第２吸気口１４が面する下側空間と、第１排気口１３および第２排気口１５が面する上側空間とに、上下に仕切っている。また、仕切り板２８Ａ〜２８Ｃは、取付金具２３に一体に設けられていて、装置への個別の取付が不要となっている。なお、仕切り板２８Ａ〜２８Ｃのバックカバー４からの高さは、バックカバー４と壁面２４との間の距離と等しくなっている。
【００５８】
このような仕切り板２８Ａ〜２８Ｃでも、バックカバー４の主壁４１と壁面２４との間で、第１排気口１３から排出される空気用の経路と第２吸気口１４へ吸入される空気用の経路とを分離することができる。すなわち、プラズマディスプレイ装置１Ｅが取付金具２３によって壁面２４に取り付けられたときには、仕切り板２８Ａ、バックカバー４の主壁４１、および壁面２４によってダクトが形成される。
【００５９】
図８に、本発明の第６実施形態に係るプラズマディスプレイ装置１Ｆを示す。このプラズマディスプレイ装置１Ｆは、第５実施形態と同様の仕切り板２９Ａ〜２９Ｄを備えているが、これらの仕切り板２９Ａ〜２９Ｄがバックカバー４の主壁４１と壁面２４との間の空間を仕切る仕切り方が異なっている。
【００６０】
すなわち、仕切り板２９Ａ〜２９Ｄは、バックカバー４の主壁４１と壁面２４との間の空間を上下に仕切るのではなく、第１排気口１３と第２吸気口１４の間の位置で左右に仕切るとともに第１排気口１３の下側近傍位置で上下に仕切っていて、Ｌ字状をなしている。
【００６１】
このような仕切り板２９Ａ〜２９Ｃでも、第５実施形態と同様の効果を得ることができる。
【００６２】
図９に、本発明の第７実施形態に係るプラズマディスプレイ装置１Ｇを示す。このプラズマディスプレイ１Ｇでは、バックカバー４の主壁４１と壁面２４との間の空間を、バックカバー４の略全幅に亘って、第１吸気口１２および第２吸気口１４が面する下側空間と、第１排気口１３および第２排気口１５が面する上側空間とに、取付金具２３を回避しながら上下に仕切る仕切り板３０が設けられている。すなわち、この仕切り板３０は、第５実施形態の仕切り板２８Ａ〜２８Ｃを全て連続させたものである。
【００６３】
（変形例）
前記各実施形態では、１つの仕切り壁２０によって収納空間が上下に２つに仕切られた形態を示したが、本発明は、２つ以上の仕切り壁２０によって収納空間が上下に３つ以上に仕切られる場合にも適用可能であることは言うまでもない。
【産業上の利用可能性】
【００６４】
本発明では、薄型画像表示装置としてプラズマディスプレイ装置を例にとり説明したが、他の液晶ディスプレイ等の画像表示装置を壁掛けする際にも表示パネルの温度低減に有効である。
【図面の簡単な説明】
【００６５】
【図１】本発明の第１実施形態に係る画像表示装置を背面側から見た斜視図である。
【図２】（ａ）は図１のIIＡ−IIＡ線断面図、（ｂ）は図１のIIＢ−IIＢ線断面図である。
【図３】本発明の第２実施形態に係る画像表示装置を背面側から見た斜視図である。
【図４】図３のIII−III線断面図である。
【図５】本発明の第３実施形態に係る画像表示装置を背面側から見た斜視図である。
【図６】本発明の第４実施形態に係る画像表示装置を背面側から見た斜視図である。
【図７】本発明の第５実施形態に係る画像表示装置を背面側から見た斜視図である。
【図８】本発明の第６実施形態に係る画像表示装置を背面側から見た斜視図である。
【図９】本発明の第７実施形態に係る画像表示装置を背面側から見た斜視図である。
【図１０】従来のプラズマディスプレイ装置を前面側から見た斜視図である。
【図１１】従来のプラズマディスプレイ装置の断面図である。
【図１２】特許文献１に開示されたプラズマディスプレイ装置の断面図である。
【図１３】特許文献１に第３実施形態として開示されたプラズマディスプレイ装置における仕切り壁の構成を示す斜視図である。
【符号の説明】
【００６６】
１Ａ〜１Ｇ  プラズマディスプレイ装置（画像表示装置）
２    ＰＤＰ（表示パネル）
３    フロントカバー
４    バックカバー
４１  主壁
５    シャーシ
５ａ  前面
５ｂ  背面
６ａ，６ｂ  回路基板
１２  第１吸気口
１３  第１排気口
１４  第２吸気口
１５  第２排気口
１８  下側空間
１９  上側空間
２０  仕切り壁
２５  フード（規制部材）
２５ａ  窪み部
２６  ダクト（規制部材）
２７  ダクト（規制部材）
２８Ａ〜２８Ｃ  仕切り板（規制部材）
２９Ａ〜２９Ｄ  仕切り板（規制部材）
３０  仕切り板（規制部材）
【図１】
2010139840.tif 000003
【図２】
2010139840.tif 000004
【図３】
2010139840.tif 000005
【図４】
2010139840.tif 000006
【図５】
2010139840.tif 000007
【図６】
2010139840.tif 000008
【図７】
2010139840.tif 000009
【図８】
2010139840.tif 000010
【図９】
2010139840.tif 000011
【図１０】
2010139840.tif 000012
【図１１】
2010139840.tif 000013
【図１２】
2010139840.tif 000014
【図１３】
2010139840.tif 000015